(57)【特許請求の範囲】
【請求項１】
ラックに脚、キャスター及び取手を含む各種のラック付属品を取り付けるためのラック付属品の取付構造において、
前記ラックの前記ラック付属品のための取付面に取付溝が設けられて、これに固定板、取付部材及びねじを用いて構成され、
前記取付溝は、前記取付面に開口され、当該開口の両側縁部に沿ってフランジを有する略凹状に形成され、
前記固定板は、前記取付溝の開口側の溝幅より小さい幅で、かつ前記取付溝の開口側の溝幅より大きく底部側の溝幅と略同じか少し小さい長さを有し、前記取付溝の内側で前記各フランジに係脱可能に形成され、表側の面から裏側の面に向けて貫通するねじ穴を有し、
前記取付部材は、前記ラック付属品に一体的に、前記取付溝の外側で前記各フランジ間に跨って設置可能に形成され、前記固定板のねじ穴に対応して表側の面から裏側の面に向けて貫通するねじ穴を有し、
前記ねじは前記取付部材のねじ穴から前記固定板のねじ穴に貫通して螺合可能な長さを有し、
前記固定板の幅方向を前記取付溝の幅方向に合わせて、前記固定板を前記取付溝の開口を通して、前記取付溝の底面側へ挿入した後、前記固定板を回転させ、前記固定板の長さ方向を前記取付溝の幅方向に向けて前記取付溝の内側で前記各フランジに対して係合可能に配置し、この状態で、前記取付部材を前記取付溝の外側で前記各フランジ間に跨って設置し、前記ねじを前記取付部材のねじ穴から前記固定板のねじ穴に貫通して締め込むことにより、前記固定板及び前記取付部材をそれぞれ、前記取付溝の内側及び外側で前記各フランジに圧接させて、前記取付部材を前記取付溝上に固定し、前記ラック付属品を前記取付面に取り付ける、
ことを特徴とするラック付属品の取付構造。
【請求項２】
取付面は、ラックの奥行方向に延びるコーナー辺が斜めに面取りされて形成され、取付溝は、前記取付面に断面略直角に形成される請求項１に記載のラック付属品の取付構造。
【請求項３】
ラックの奥行方向に延びるコーナー辺は、ラックの奥行方向に延びる垂直面と、前記垂直面のラックの奥行方向に延びる一方の側部に一方の側部が接合され、ラックの奥行方向に延びる水平面と、前記垂直面のラックの奥行方向に延びる他方の側部に前記水平面のラックの奥行方向に延びる他方の側部に向けて突出されるフランジ、及び前記水平面の前記他方の側部に前記垂直面の前記他方の側部に向けて突出されるフランジとからなり、前記各フランジが取付面をなし、前記フランジの内側が取付溝をなす請求項２に記載のラック付属品の取付構造。
【請求項４】
固定板は、取付溝の内側で各フランジに係止可能に略長方形の平板に形成され、かつ４つのコーナーのうち、一方の対角線上で対向する各コーナーが略円弧状に形成される請求項１乃至３のいずれかに記載のラック付属品の取付構造。
【請求項５】
ラック付属品は、上面視で、取付溝の水平面内に又は当該水平面からラックの底面若しくは上面側に収められるように形成され、前記ラックから側方に飛び出さないように取り付けられる請求項３に記載のラック付属品の取付構造。
【発明の詳細な説明】
【技術分野】
【０００１】
本発明は、ラック付属品の取付構造に関し、特に、各種のラックに脚、キャスター、取手などの付属品を取り付けるためのラック付属品の取付構造に関する。
【背景技術】
【０００２】
一般に、コンピュータ、通信機器、電気機器など各種の機器を収納するのに使用される機器収納用のラックには、ラックの設置用に脚が取り付けられたものや、ラックの移動用にキャスターが取り付けられたものがある。これら脚やキャスターなどの付属品は、通常、ラックの底板に取付孔が穿たれて、この孔にボルト及びナットなどにより取り付け固定される（例えば特許文献１参照）。
【先行技術文献】
【特許文献】
【０００３】
【特許文献１】特開２００６−１５６８２２公報
【発明の概要】
【発明が解決しようとする課題】
【０００４】
しかしながら、上記従来のラック付属品の取付構造では、次のような問題がある。
（１）ラックの底板に脚やキャスターを取り付けるために、取付孔を穿たなければならない。
（２）脚やキャスターの場合、脚やキャスターが底板から突出するため、複数のラックを積み重ねて設置する場合や車両などに積み重ねて積載する場合に、脚やキャスターの突出分だけ、高さ方向が拡大し、設置スペースや積載スペースが増大する。また、複数のラックを積み重ねた場合、脚やキャスターが動かないように、滑り止め用又は転動防止用のストッパーなどを併せて設けるか、脚やキャスターを取り外す必要がある。
（３）また、ラックに取手を取り付けることにより、ラックを搬送する場合に、ラックの上げ下ろしや移動が容易になるが、この場合、取手用の取付孔を設ける必要があり、また、取手を使用しない場合に、取手があると、ラックの表面から取手が突出し、複数のラックを積み重ねた場合に邪魔になる。この場合、取手を取り外すと、ラックの表面に取付孔が現れて、見栄えが悪い。
【０００５】
本発明は、このような従来の問題を解決するもので、脚、キャスター、取手などの付属品をラックの取付板に孔を穿つことなく取り付けることができ、その取り付け、取り外しが容易で、また、これらの付属品を付けたままでも、これらの付属品がラックの表面から突出することがなく、複数のラックを積み重ねた場合に邪魔にならないばかりか、付属品が脚、キャスターの場合、ストッパーを設ける必要もないなど、各種の付属品の取り付けに最適なラック付属品の取付構造を提供すること、を目的とする。
【課題を解決するための手段】
【０００６】
上記目的を達成するために、本発明は、ラックに脚、キャスター及び取手を含む各種のラック付属品を取り付けるためのラック付属品の取付構造において、前記ラックの前記ラック付属品のための取付面に取付溝が設けられて、これに固定板、取付部材及びねじを用いて構成され、前記取付溝は、前記取付面に開口され、当該開口の両側縁部に沿ってフランジを有する略凹状に形成され、前記固定板は、前記取付溝の開口側の溝幅より小さい幅で、かつ前記取付溝の開口側の溝幅より大きく底部側の溝幅と略同じか少し小さい長さを有し、前記取付溝の内側で前記各フランジに係脱可能に形成され、表側の面から裏側の面に向けて貫通するねじ穴を有し、前記取付部材は、前記ラック付属品に一体的に、前記取付溝の外側で前記各フランジ間に跨って設置可能に形成され、前記固定板のねじ穴に対応して表側の面から裏側の面に向けて貫通するねじ穴を有し、前記ねじは前記取付部材のねじ穴から前記固定板のねじ穴に貫通して螺合可能な長さを有し、前記固定板の幅方向を前記取付溝の幅方向に合わせて、前記固定板を前記取付溝の開口を通して、前記取付溝の底面側へ挿入した後、前記固定板を回転させ、前記固定板の長さ方向を前記取付溝の幅方向に向けて前記取付溝の内側で前記各フランジに対して係合可能に配置し、この状態で、前記取付部材を前記取付溝の外側で前記各フランジ間に跨って設置し、前記ねじを前記取付部材のねじ穴から前記固定板のねじ穴に貫通して締め込むことにより、前記固定板及び前記取付部材をそれぞれ、前記取付溝の内側及び外側で前記各フランジに圧接させて、前記取付部材を前記取付溝上に固定し、前記ラック付属品を前記取付面に取り付ける、ことを要旨とする。
また、この取付構造は各部が次のような構成を備えることが好ましい。
（１）取付面は、ラックの奥行方向に延びるコーナー辺が斜めに面取りされて形成され、取付溝は、前記取付面に断面略直角に形成される。
（２）ラックの奥行方向に延びるコーナー辺は、ラックの奥行方向に延びる垂直面と、前記垂直面のラックの奥行方向に延びる一方の側部に一方の側部が接合され、ラックの奥行方向に延びる水平面と、前記垂直面のラックの奥行方向に延びる他方の側部に前記水平面のラックの奥行方向に延びる他方の側部に向けて突出されるフランジ、及び前記水平面の前記他方の側部に前記垂直面の前記他方の側部に向けて突出されるフランジとからなり、前記各フランジが取付面をなし、前記フランジの内側が取付溝をなす。
（３）固定板は、取付溝の内側で各フランジに係止可能に略長方形の平板に形成され、かつ４つのコーナーのうち、一方の対角線上で対向する各コーナーが略円弧状に形成される。
（４）ラック付属品は、上面視で、取付溝の水平面内に又は当該水平面からラックの底面若しくは上面側に収められるように形成され、前記ラックから側方に飛び出さないように取り付けられる。
【発明の効果】
【０００７】
本発明のラック付属品の取付構造によれば、上記の構成により、脚、キャスター、取手などのラック付属品をラックの各面をなす板に孔を穿つことなく取り付けることができ、その取り付け、取り外しが容易で、また、これらのラック付属品を付けたままでも、これらのラック付属品がラックの表面から突出することがなく、複数のラックを積み重ねた場合に邪魔にならないばかりか、ラック付属品が脚、キャスターの場合、ストッパーを設ける必要もないなど、各種のラック付属品の最適な取り付け態様を実現することができる。
【図面の簡単な説明】
【０００８】
【図１】本発明の一実施の形態におけるラック付属品の取付構造を示す図（（ａ）は正面図（ｂ）は側面図）
【図２】同取付構造を適用する機器収納用のラックを示す図
【図３】同取付構造を適用する同ラックのラック本体及び正面、背面の各蓋を構成するコーナーブロック、フレーム、並びにアングルプレート、蓋ロック部材、取手、脚の各部を示す一部分解斜視図
【図４】同取付構造を適用する同ラックの特に奥行フレームを示す図
【図５】同取付構造によりラックに脚を取り付けた状態を示す図
【図６】同取付構造によりラックに取手を取り付けた状態を示す図
【図７】同取付構造により複数のラック間にラック接続部品を取り付けた状態を示す図
【発明を実施するための形態】
【０００９】
次に、この発明を実施するための形態について図を用いて説明する。図１にラックに脚、キャスター及び取手を含む各種の付属品を取り付けるためのラック付属品の取付構造の構成を示している。
このラック付属品の取付構造は、ラックＡの各種の付属品のための取付面Ｔに取付溝Ｓ１が設けられて、これに付属部品の固定板Ｓ２、取付部材Ｓ３及びねじＳ４を用いて構成される。
【００１０】
この取付構造では、取付面Ｔは、ラックＡの４つのコーナーが斜めに面取りされて形成される。
取付溝Ｓ１は、取付面Ｔに開口され、当該開口の両側縁部に沿ってフランジＳ１１を有する略凹状に形成される。この場合、取付溝Ｓ１は取付面Ｔに断面略直角に形成されて、ラックＡのコーナーの奥行方向に延びる垂直面ｔ１と水平面ｔ２とからなり、垂直面ｔ１及び水平面ｔ２の２面接合部と平行の各側部からそれぞれ他方の側部に向けてフランジＳ１１が突出される。
固定板Ｓ２は、取付溝Ｓ１の開口側の溝幅より小さい幅で、かつ取付溝Ｓ１の開口側の溝幅より大きく底部側の溝幅と略同じか少し小さい長さを有し、この取付溝Ｓ１の内側で各フランジＳ１１に係脱可能に形成され、表側の面から裏側の面に向けて貫通するねじ穴Ｓ２０を有する。この場合、固定板Ｓ２は、取付溝Ｓ１の内側で各フランジＳ１１に係止可能に略長方形の平板に形成され、かつ４つのコーナーのうち、一方の対角線上で対向する各コーナーが略円弧状に形成されることが好ましい。
取付部材Ｓ３は、各種の付属品に一体的に、取付溝Ｓ１の外側で各フランジＳ１１間に跨って設置可能に形成され、固定板Ｓ２のねじ穴Ｓ２０に対応して表側の面から裏側の面に向けて貫通するねじ穴Ｓ３０を有する。
ねじＳ４は取付部材Ｓ３のねじ穴Ｓ３０から固定板Ｓ２のねじ穴Ｓ２０に貫通して螺合可能な長さを有する。
脚、キャスター、取手など各種の付属品は取付溝Ｓ１の水平面ｔ２の面積内に収められる大きさに形成されることが好ましい。
【００１１】
このようにしてこの取付構造では、固定板Ｓ２の幅方向を取付溝Ｓ１の幅方向に合わせて、固定板Ｓ２を取付溝Ｓ１の開口を通して、取付溝Ｓ１の底面側へ挿入した後、固定板Ｓ２を回転させ、固定板Ｓ２の長さ方向を取付溝Ｓ１の幅方向に向けて取付溝Ｓ１の内側で各フランジＳ１１、Ｓ１１に対して係合可能に配置し、この状態で、取付部材Ｓ３を取付溝Ｓ１の外側で各フランジＳ１１間に跨って設置し、ねじＳ４を取付部材Ｓ３のねじ穴Ｓ３０から固定板Ｓ２のねじ穴Ｓ２０に貫通して締め込むことにより、固定板Ｓ２及び取付部材Ｓ３をそれぞれ、取付溝Ｓ１の内側及び外側で各フランジＳ１１に圧接させて、取付部材Ｓ３を取付溝Ｓ１上に固定し、各種の付属品を取付面Ｔに取り付けるようになっている。
【００１２】
図２にこの取付構造を適用した機器収納用のラックＲ１を例示している。
図２に示すように、このラックＲ１は、正面、背面、平面、底面及び左右両側面を有し、全体が箱形に構成される形式のもので、箱形のラック本体Ａと、正面及び背面の各蓋Ｂ１、Ｂ２とからなり、ラック本体Ａの構成部品として、箱形の各コーナーＣをなすアルミニウム材料からなるコーナーブロック１と、箱形の正面側及び背面側の各枠Ｆ１、Ｆ２を構成するアルミニウム材料からなる枠構成フレーム２と、箱形の正面側及び背面側の各枠Ｆ１、Ｆ２間を繋ぐ奥行部Ｓをなすアルミニウム材料からなる奥行フレーム３と、箱形の上下左右の各面Ｐをなすアルミニウム材料からなるパネル４と、各枠Ｆ１、Ｆ２間に並設される補強部材Ｈをなすアルミニウム材料からなる補強フレーム５（図３参照）と、補強フレーム５及び／又は枠構成フレーム２の内面上に選択的に固定されるアルミニウム材料からなるアングルプレート５５（図３参照）とを備え、正面及び背面の蓋Ｂ１、Ｂ２の構成部品として、箱形の正面及び背面の各蓋Ｂ１、Ｂ２の各コーナーｃをなすアルミニウム材料からなる蓋コーナーブロック７１と、箱形の正面及び背面の各蓋Ｂ１、Ｂ２の各枠ｆを構成するアルミニウム材料からなる蓋枠構成フレーム７２と、箱形の正面及び背面の各蓋Ｂ１、Ｂ２の各面ｐをなすアルミニウム材料からなる蓋パネル７３と、箱形の正面及び背面の各蓋Ｂ１、Ｂ２の蓋枠構成フレーム７２に装着され、枠構成フレーム２に係脱可能なステンレスなどの金属材料からなる蓋ロック部材８とを備え、これらの各部材により組み立てられる。
【００１３】
図３に示すように、コーナーブロック１は、アルミダイカストにより一体に成形され、外側一方の面１１が外側一方の面１１が斜めの略フラット面（箱形のコーナーが面取りされた状態の斜めのフラット面）をなし、内側他方の面１２の両端部及び一側部にそれぞれ箱形の幅方向、高さ方向及び奥行方向に延びる複数の凸部が突設されてなる。このようにして、１つのラックＲ１につき８個のコーナーブロック１により、箱形の各コーナーＣが構成される。
【００１４】
図３に示すように、枠構成フレーム２は、アルミ押出材からなり、外側一方の面２１がフラットで内側他方の面２２にコーナーブロック１の高さ方向又は幅方向の凸部が嵌合可能な凹部形状部を長さ方向に連続して形成されるとともに、片側一方の側縁部に沿って溝を形成されてなる枠構成フレーム基材から、箱形の正面側及び背面側の各枠Ｆ１、Ｆ２の各辺の長さにカットされて、各コーナーブロック１間に連結固定される。このようにして、１つのラックＲ１につき２組の上下の各フレーム、２組の左右の各フレームにより、箱形の正面側及び背面側の各枠Ｆ１、Ｆ２が構成される。
【００１５】
図４に示すように、奥行フレーム３は、アルミ押出材からなり、外側の面（３１）にコーナーブロック１の奥行方向の凸部が嵌合可能な凹部形状部を長さ方向に連続して形成されるとともに内側の面（３２）の両側に沿って溝を形成されてなる奥行フレーム基材から、箱形の正面側及び背面側の各枠Ｆ１、Ｆ２間の奥行方向の各辺の長さにカットされ、各コーナーブロック１間に連結固定される。
この奥行フレーム基材の場合、奥行方向に延びる垂直面と水平面とからなり、当該垂直面、水平面の直角をなす２面側が外側の面３１、反対の２面側が内側の面３２で、外側の面３１は垂直面、水平面の２面接合部と平行の各側部を結ぶ面が斜めの面になっていて、各側部からそれぞれ他方の側部に向けてフランジ３１１が突出されて、この２面内にコーナーブロック１の奥行方向の凸部が嵌合可能な略台形の内部空間をなす断面形状が形成され、また、内側の面３２は垂直面と水平面とからなり、これら２面接合部と平行の各側部に沿ってパネル４が挿入可能な溝３２１が形成される。かかる奥行フレーム基材から、箱形の正面側及び背面側の各枠Ｆ１、Ｆ２間の奥行方向の各辺の長さにカットされて、上下の各奥行フレーム３が形成される。このようにして、１つのラックＲ１につき４本の奥行フレーム３により、箱形の正面側及び背面側の各枠Ｆ１、Ｆ２間を繋ぐ奥行部Ｓが構成される。
【００１６】
図３に示すように、補強フレーム５は、アルミ押出材からなり、断面ハット形からなる補強フレーム基材から、奥行フレーム３間に架け渡し可能な長さにカットされて、各奥行フレーム３間に連結され、枠構成フレーム２間に並設される。また、この補強フレーム５には、必要に応じて、ナット５０が埋設され、アングルプレート５５を取り付け可能に構成される。
【００１７】
図２に示すように、パネル４は、アルミ板からなり、コーナーブロック１と枠構成フレーム２と奥行フレーム３とにより構成される箱形の上下左右の各面Ｐに枠構成フレーム２と奥行フレーム３の各側縁の各溝に挿入して組み入れ可能に適宜大きさの矩形状のフラットパネルとして形成される。このようにして、１つのラックＲ１につき上下の各面をなす２枚のパネル４と左右の各面をなす２枚のパネル４とにより、箱形の上下左右の各面Ｐが構成される。
【００１８】
図３に示すように、アングルプレート５５は、アルミ板からなり、所要の大きさのアルミ板が断面Ｌ字形に折り曲げられて形成される。この場合、アングルプレート５５は所要の長さと面積を有する細長いアルミ板が幅方向に直角に折り曲げられて形成され、その垂直面の適宜位置にねじ挿通穴（図示省略）が設けられる。このアングルプレート５５は対にして必要な数だけ用意され、補強フレーム５に配置されて、垂直面のねじ挿通穴にボルト（図示省略）を通して、補強フレーム５のナット５０に締結することにより固定される。
【００１９】
図３に示すように、蓋コーナーブロック７１は、アルミダイカストにより一体に成形され、外側一方の面７１１が斜めの略フラット面をなし、内側他方の面７１２の両端部にそれぞれ箱形の高さ方向及び幅方向に延びる複数の凸部が突設されてなる。このようにして、１つのラックＲ１につき８個の蓋コーナーブロック７１により、箱形の正面及び背面の各蓋Ｂ１、Ｂ２の各コーナーｃが構成される。
【００２０】
図２に示すように、蓋枠構成フレーム７２は、枠構成フレーム２に連接可能な大きさ及び形状に形成される。この蓋枠構成フレーム７２は、アルミ押出材からなり、外側一方の面がフラットで内側他方の面に蓋コーナーブロック７１の高さ方向又は幅方向の凸部が嵌合可能な凹部形状部を長さ方向に連続して形成される外側フレーム、及び外側フレームの内側他方の面に当該面の縁部と平行で当該面に対して直角方向に延び、先端に溝を有する内側フレームからなる蓋枠構成フレーム基材から、箱形の正面及び背面の各蓋Ｂ１、Ｂ２の各枠ｆの各辺の長さにカットされ、各蓋コーナーブロック７１間に連結固定される。このようにして、１つのラックＲ１につき２組の上下の各フレーム、２組の左右の各フレームにより、箱形の正面及び背面の各蓋Ｂ１、Ｂ２の各枠ｆが構成される。
【００２１】
図２に示すように、蓋パネル７３は、アルミ板からなり、蓋コーナーブロック７１と蓋枠構成フレーム７２とにより構成される箱形の正面及び背面の各蓋Ｂ１、Ｂ２の各枠ｆ内の面ｐに蓋枠構成フレーム７２の内側フレームの各溝に挿入して組み入れ可能に適宜の大きさの矩形状のパネルとして形成される。なお、そのパネル面には補強用のリブ７３１が付けられる。また、このリブ７３１にはクッション性の高い保護カバーなどが併せて取り付けられることが好ましい。このようにして、１つのラックＲ１につき正面及び背面の各蓋Ｂ１、Ｂ２の各面をなす２枚の蓋パネル７３により、箱形の正面及び背面の各蓋Ｂ１、Ｂ２の各面ｐが構成される。
【００２２】
図２、図３に示すように、正面及び背面の各蓋Ｂ１、Ｂ２に複数の蓋ロック部材８が設けられる。蓋ロック部材８はそれぞれ、外側の円筒部と、外側の円筒部内に回転可能に嵌挿される内側の円筒部、及び内側の円筒部の基端部に当該円筒部の軸方向に対して直角方向に回動可能に取り付けられ、外側の円筒部内で内側の円筒部を回転操作するためのハンドルと、内側の円筒部内に回転可能にかつ進退可能に挿通され、外側及び内側の各円筒部８１、の先端から突出する駆動軸、及び駆動軸の先端側に当該軸方向に対して直角方向に向けて突設され、所定の被係合部に係止可能な係止部と、外側の円筒部及び内側の円筒部と駆動軸との間に形成され、この蓋ロック部材８の初期状態において、内側の円筒部の一方向の回転運動により、駆動軸を内側の円筒部の回転方向に所定の角度だけ回転案内し、駆動軸が当該回転方向に所定の角度だけ回転した地点で駆動軸を内側の円筒部の軸上を後退方向に移動案内し、この状態から、内側の円筒部の他方向の回転運動により、駆動軸を内側の円筒部の軸上を前進方向に移動案内し、駆動軸が内側の円筒部内を所定の距離だけ前進移動した地点で駆動軸を内側の円筒部の回転方向に所定の角度だけ回転案内するガイド機構とを備える。
【００２３】
このようにしてラック本体Ａ及び蓋Ｂ１、Ｂ２の構成部品が形成され、それぞれ、次のようにして組み立てられる。
図２及び図３に示すように、ラック本体Ａの場合、箱形の各コーナーをなす８個のコーナーブロック１と、箱形の正面及び背面の各枠を構成する８本の枠構成フレーム２と、箱形の正面側及び背面側の各枠間を繋ぐ４本の奥行フレーム３とを、各コーナーブロック１の高さ方向、幅方向及び奥行方向の各凸部と枠構成フレーム２の各凹部形状部及び奥行フレーム３の各凹部形状部との係合とこの係合部分のねじ固定によりそれぞれ組み立てるとともに、各枠構成フレーム２と各奥行フレーム３とにより構成される上下左右の各面にパネル４を各枠構成フレーム２と各奥行フレーム３の各側縁の各溝に組み入れて、ラック本体Ａを組み立てる。
箱形の正面及び背面の各蓋Ｂ１、Ｂ２の場合、正面及び背面の各蓋Ｂ１、Ｂ２の各コーナーをなす蓋コーナーブロック７１と、正面及び背面の各蓋Ｂ１、Ｂ２の各枠を構成する蓋枠構成フレーム７２とを、蓋コーナーブロック７１の幅方向及び高さ方向の凸部と蓋枠構成フレームの凹部との係合とこの係合部分のねじ固定により組み立てるとともに、各蓋枠構成フレーム７２により構成される正面及び背面の各面に蓋パネル７３を組み入れて、正面及び背面の各蓋Ｂ１、Ｂ２を組み立てる。
そして、ラック本体Ａの正面及び背面に、正面及び背面の各蓋Ｂ１、Ｂ２を合わせ、各蓋Ｂ１、Ｂ２の蓋枠構成フレーム７２に蓋ロック部材８を装着しラック本体Ａ側に係合させてロックし、ラック本体Ａと各蓋Ｂ１、Ｂ２とを結合する。
【００２４】
かかる構成からなる機器収納ラックＲ１は、脚、キャスター、取手など各種の付属品を備え、ラック本体Ａに、図１に示すように、これらの付属品を取り付けるための各種の付属品の取付構造を備える。この取付構造では、ラック本体Ａの奥行フレーム３を利用して、これに付属部品の固定板、取付部材及びねじを用いて構成される。
【００２５】
取手及び脚の具体な取り付け方を図５、図６に例示している。
図５に示すように、脚３７は、取付部材３４と一体の脚部材３７１と、固定板３３と、ねじ３５とを備える。この場合、固定板３３は２つ使用され、それぞれ、既述のとおりの基本形状を有し、この固定板３３の場合、長手方向両側にそれぞれ幅方向に２つずつねじ穴３３０を有する。取付部材３４は取付溝３１の両側のフランジ３１１間に跨って設置可能な略矩形の平板状に形成され、長手方向両側にそれぞれ各固定板３３のねじ穴３３０に対応して２つのねじ穴３４０が幅方向に一列にして表側から裏側に向けて貫通形成される。脚部材３７１は、この取付部材３４の一端にラック本体Ａの底面に沿って延びる固定部３７２と、この固定部３７２と取付部材３４との間からラック本体Ａ上部のコーナーの傾斜面に沿って当接可能に延びる脚形状部３７３とからなる。ねじ３５は合計４本使用される。なお、この脚３７は全体として奥行フレーム３の水平面の面積内に収められる大きさに形成される。
このようにして２つの固定板３３の幅方向を取付溝３１の幅方向に合わせ、各固定板３３を取付溝３１の開口を通して、取付溝３１の底面側へ挿入した後、各固定板３３を回転させ、各固定板３３の長さ方向を取付溝３１の幅方向に向けて取付溝３１の内側の開口両縁部に係合可能に配置し、この状態で、脚部材３７の固定部３７２をラック本体Ａの底面側に沿って合わせるとともに、脚部材３７１に一体の取付部材３４を取付溝３１の外側で両フランジ３１１間に跨って設置し、これら取付部材３４及び各固定板３３の各ねじ穴３４０、３３０間にねじ３５を通して締め込むことにより、固定板３３と取付部材３４をそれぞれ、取付溝３１の両フランジ３１１に内側及び外側から圧接させて、取付部材３４を取付溝３１上に固定する。この取付部材３４と固定板３３とのねじ締結において、固定板３３が、取付溝３１の内側の開口両縁部に係止可能に略長方形の平板に形成され、かつ平板の４つのコーナーのうち、一方の対角線上で対向する各コーナーが略円弧状に形成されていることで、固定板３３は取付溝３１内で一方向にのみ回転可能で、他方向に回転されないため、ねじ３５を取付部材３４を通して固定板３３に締め込む際に、この固定板３３はねじ３５とともに回転されることがない。なお、この脚３７はラック本体Ａ下部の各コーナーの両端付近に１つずつ取り付けられる。
キャスターについては説明を省略するが、このキャスターの取り付け方は、基本的に、脚と同様である。なお、キャスターもまた、全体として奥行フレームの水平面の面積内に収められる大きさに形成される。
また、図６に示すように、取手３６は、取付箇所一箇所に付き、取手リンク３６１と、固定板３３と、取付部材３４と、ねじ３５とを備える。この場合、取手リング３６１は、略Ｃ字形をなす。固定板３３は２つ使用され、それぞれ、既述のとおりの基本形状を有し、この固定板３３の場合、長手方向両側にそれぞれねじ穴３３０を有する。取付部材３４は２つ使用され、それぞれ、取手リング３６１の両端に上から被着可能で、かつ取付溝３１の両側のフランジ３１１間に跨って設置可能な断面略三角形状に形成され、裏面側の２面結合部が取手リング３６１の各端部に嵌合可能な断面略半球形状に形成され、２面の各面に各固定板３３のねじ穴３３０に対応して表側から裏側に向けてねじ穴３４０が貫通形成される。ねじ３５は合計４本使用される。なお、この取手３６は全体として奥行フレーム３の水平面の面積内に収められる大きさに形成される。
このようにして２つの固定板３３の幅方向を取付溝３１の幅方向に合わせ、各固定板３３を取付溝３１の開口を通して、取付溝３１の底面側へ挿入した後、固定板３３をそれぞれ回転させ、各固定板３３の長さ方向を取付溝３１の幅方向に向けて取付溝３１の内側で両フランジ３１１に係合可能に配置し、この状態で、２つの取付部材３４をそれぞれ取付溝３１の外側で両フランジ３１１間に跨って設置し、これら各取付部材３４及び各固定板３３の各ねじ穴３４０、３３０間にねじ３５を通して締め込むことにより、固定板３３と取付部材３４をそれぞれ、取付溝３１の両フランジ３１１に内側及び外側から圧接させて、各取付部材３４を取付溝３１上に固定する。この場合の固定板３３の作用は既述のとおりである。なお、この取手３６はラック本体Ａの上部側の各コーナー中央付近に一箇所ずつ取り付けられてもよく、上部側の各コーナーの前後両端側にそれぞれ一箇所ずつ取り付けられてもよい。
【００２６】
さらに、このラックＲ１には、この付属品の取付構造を利用して、複数のラック本体Ａ間を接続するためのラック接続部品１０を併せて備える。図７（ａ）に示すように、このラック接続部品１０は、一端に一方のラック本体Ａの奥行フレーム３のフランジ３１１に係合可能な係止爪１０１を有するプレートにより形成され、当該プレートの平面上にスクリューシャフト１０２が立設されてなる第１のフック１０３と、一端に他方のラック本体Ａの奥行フレーム３のフランジ３１１に係合可能な係止爪１０４を有するプレートにより形成され、当該プレートの平面上に当該プレートの両端方向に延び、第１のフック１０３のスクリューシャフト１０２を挿通可能な長穴１０５が形成されてなり、この長穴１０５にスクリューシャフト１０２を通して第１のフック１０３上に重合される第２のフック１０６と、第２のフック１０６の上からスクリューシャフト１０２に螺合され、第２のフック１０６を第１のフック１０３に向けて押圧可能なつまみ付きのナット１０７とを具備する。
このようにして、図７（ｂ）、（ｃ）に示すように、上下方向に積み重ねられた各ラックＲ１又は左右方向に並置された複数のラックＲ１の、一方の奥行フレーム３の片側一方のフランジ３１１に第１又は第２のフック１０３、１０６の一方の係止部１０１又は１０４を掛け、このフック１０３又は１０６に対して他方のフック１０６又は１０３を伸縮させて第１、第２のフック１０３、１０６全体の長さを調整しながら、他方のフック１０６又は１０３の係止部１０４又は１０１を他方の奥行フレーム３の片側一方のフランジ３１１に掛けて、この状態で第１のフック１０３のスクリューシャフト１０２にナット１０７を締め込み、第２のフック１０６を第１のフック１０３に向けて押圧することにより第１、第２のフック１０３、１０６間を固定して、各ラックＲ１間を接続固定するようになっている。
【００２７】
このようにしてラックＲ１は、ラック本体Ａと、正面及び背面の蓋Ｂ１、Ｂ２とからなり、このラックＲ１内に例えばコンピュータ、通信機器、電気機器など各種の機器を収容するようになっている。この場合、このラック本体Ａに複数の機器を上下に分けて収納する必要があれば、ラック本体Ａの内側側面の補強プレート５又は枠構成フレーム２に必要な組数のアングルプレート５５を上下に必要な間隔でねじにより取り付け、これらのアングルプレート５５を使って、各機器を多段的に収容すればよい。そして、このラックの使用に当たり、複数のラックＲ１を上下方向に積み重ねたり、あるいは左右方向に並置したり、又は上下左右に組み合わせて設置したりする場合は、図７（ｂ）、（ｃ）に示すように、複数のラック本体Ａ間をラック接続部品１０を用いて接続することにより、各ラックＲ１間が確実に固定され、各ラックＲ１を安定的に設置することができる。
また、このラックＲ１に各種の機器を収納して搬送する場合は、図６（ｂ）に示すように、ラック本体Ａ上部側の各コーナー中央付近又は両端付近に取手３６を１つずつに取り付ければ、これらの取手３６により、ラックＲ１の上げ下ろし、搬送を容易に行うことができる。
さらに、このラックＲ１を設置面に脚３７を用いて設置する場合は、図５（ｂ）に示すように、ラック本体Ａ下部側の各コーナーの両端付近に脚３７を１つずつ取り付ける。なお、このようにラック本体Ａに脚３７を取り付けていても、各ラックＲ１を上下方向に積み重ねることができ、この場合、各ラックＲ１の脚３７が各ラックＲ１の各コーナーに沿って当接されるので、これがずれ止めになって、各ラックＲ１が安定される。また、この場合において、各脚３７が前後方向にずれるようなことがあっても、各ラック本体Ａのコーナーブロック１により各脚３７の前端方向又は後端方向の動きが規制されるので、各ラックＲ１間のずれは確実に防止される。さらにこの場合、各脚３７をラック本体Ａの各コーナーブロック１とラック本体Ａ上部側の各コーナーに取り付けられる取手３７の取付部材３４との間に挟持固定することにより、各脚３７のずれを確実に防止することができる。また、このラックＲ１を設置面に移動可能に設置する必要があれば、脚３７に代えて、キャスターを１つずつ取り付ければよく、ラックＲ１をキャスターの転動により容易に移動することができる。
【００２８】
また、このラックＲ１では、コーナーブロック１及び蓋コーナーブロック７１はそれぞれ、外側一方の面が斜めの略フラット面をなし、奥行フレーム３は奥行方向に延びる垂直面と水平面とからなり、直角をなす２面側が外側の面、反対の２面側が内側の面で、外側の面に、垂直面、水平面の２面接合部と平行の各側部からそれぞれ他方の側部に向けてフランジが突出されて、この面が、脚、キャスター及び取手を含む各種の付属品のための取付溝３１をなしており、既述のとおり、この取付溝３１に付属部品の固定板３３、取付部材３４及びねじ３５を用いて、奥行フレーム３の外側の面に、脚３７、キャスター及び取手３６を含む各種の付属品を後付けで取り付けるようにしたので、これらの部品を必要に応じて任意にかつ強固にしかも特別の加工を不要として簡易に取り付けることができる。
また、この取付部材３４と固定板３３とのねじ締結では、特に、固定板３３が、奥行フレーム３の取付溝３１の内側の開口両縁部に係止可能に略長方形の平板に形成され、かつ平板の４つのコーナーのうち、一方の対角線上で対向する各コーナーが略円弧状に形成されていることで、固定板３３は取付溝３１内で一方向にのみ回転可能で、他方向に回転されないため、ねじ３５を取付部材３４を通して固定板３３に締め込む際に、この固定板３３がねじ３５とともに回転されることがなく、この取付部材３４と固定板３３とのねじ締結を容易かつ確実に行うことができる。
また、この場合、各種の付属品は奥行フレーム３の水平面の面積内に収められる大きさに形成されるので、各種の付属品をラック本体Ａの各コーナーに取り付けていても、各種の付属品が各コーナーから側方へ飛び出すことがなく、複数のラックＲ１を横並びさせる場合に、各種の付属品が隣接するラックＲ１や付属品に当たることがなく、各ラックＲ１を隙間なく並べることができる。また、車載の場合においては、荷台に無駄なスペースを取ることがなく、ラックＲ１間の衝突、破損を限りなく防止することができる。
さらに、脚３７について言えば、脚３７がラック本体Ａの両側でハの字形をなすことで、ラックＲ１を設置面上に安定的に置くことができることは勿論のこと、複数のラックＲ１を積み重ねるときに、各脚３７がラック本体Ａの８面カットの各コーナーにジャストフィットするので、各ラックＲ１に多少の傾きがあったり振動が加えられたりした場合でも、各ラックＲ１がずれることがない。なお、この脚３７によるずれ止めは、各脚３７がラック本体Ａの各コーナー（奥行フレーム３の外側の面）の前後両端部のコーナーブロック１で、前後方向の動きを規制されるので、脚３７それ自体がそれ以上にずれることがなく、各ラックＲ１の確実なずれ止め効果が得られる。この場合、ラック本体Ａの各コーナー（奥行フレーム３の外側の面）の前後にそれぞれ取手３６が取り付けられていると、各脚３７の動きをコーナーブロック１と取手３６で規制することができ、これにより脚３７それ自体のずれをより確実に防止することができる。
またさらに、取手３６について言えば、この場合、ラック本体Ａに取手３６が取り付けられていると、この取手３６を拡げることで、これを蓋Ｂ１、Ｂ２のハンガーとして利用することができ、この取手３６を用いて蓋Ｂ１、Ｂ２を収納することができる。
【００２９】
以上説明したように、このラック付属品の取付構造では、ラックＲ１の各種の付属品のための取付面（奥行フレーム３）に取付溝３１が設けられて、これに付属部品の固定板３３、取付部材３４及びねじ３５を用いて構成され、取付溝３１は、取付面に開口され、当該開口の両側縁部に沿ってフランジ３１１を有する略凹状に形成され、固定板３３は、取付溝３１の開口側の溝幅より小さい幅で、かつ取付溝３１の開口側の溝幅より大きく底部側の溝幅と略同じか少し小さい長さを有し、取付溝３１の内側で各フランジ３１１に係脱可能に形成され、表側の面から裏側の面に向けて貫通するねじ穴３３０を有し、取付部材３４は、各種の付属品に一体的に、取付溝３１の外側で各フランジ３１１間に跨って設置可能に形成され、固定板３３のねじ穴３３０に対応して表側の面から裏側の面に向けて貫通するねじ穴３４０を有し、ねじ３５は取付部材３４のねじ穴３４０から固定板３３のねじ穴３３０に貫通して螺合可能な長さを有し、固定板３３の幅方向を取付溝３１の幅方向に合わせて、固定板３３を取付溝３１の開口を通して、取付溝３１の底面側へ挿入した後、固定板３３を回転させ、固定板３３の長さ方向を取付溝３１の幅方向に向けて取付溝３１の内側で各フランジ３１１に対して係合可能に配置し、この状態で、取付部材３４を取付溝３１の外側で各フランジ３１１間に跨って設置し、ねじ３５を取付部材３４のねじ穴３４０から固定板３３３のねじ穴３３０に貫通して締め込むことにより、固定板３３及び取付部材３４をそれぞれ、取付溝３１の内側及び外側で各フランジ３１１に圧接させて、取付部材３４を取付溝３１上に固定し、各種の付属品を取付面に取り付けるようにしたので、脚、キャスター、取手などの付属品をラックＲ１の各面をなす板に孔を穿つことなく取り付けることができ、その取り付け、取り外しが容易で、また、これらの付属品を付けたままでも、これらの付属品がラックＲ１の表面から突出することがなく、複数のラックＲ１を積み重ねた場合に邪魔にならないばかりか、付属品が脚、キャスターの場合、ストッパーを設ける必要もないなど、各種の付属品の最適な取り付け態様を実現することができる。
さらに、この取付構造によれば、複数のラック本体Ａ間を接続するためのラック接続部品１０を併せて備えることができ、複数のラックＲ１を上下方向に積み重ねたり又は左右方向に並置したり又は上下左右方向に組み合わせて設置したりする場合に、このラック接続部品１０を用いて複数のラックＡ本体間を接続することができ、各ラックＲ１間を簡単かつ確実に固定し、各ラックＲ１を安定的に設置することができる。
【００３０】
なお、この実施の形態では、ラック付属品の取付構造について、アルミ材からなるボックス型のラックに適用し、特に、同ラックの奥行フレームを利用したものを例示したが、このラック付属品の取付構造はこのようなラックにのみ適用されるものではなく、他の金属材料や樹脂材料からなる各種のラックにも同様に適用することができ、各種のラックに各種の付属品のための取付面を形成し、取付溝を形成して、各種の付属品を固定板、取付部材及びねじにより同様に取り付けることにより、同様の作用効果を得ることができる。この場合、取付面は、各種のラックの４つのコーナーに斜めに形成してもよく、また、底面や天面あるいは側面の一部に斜めに又は平面的に形成してもよい。また、この場合、取付溝の幅や長さは少なくとも各種の付属品の取り付けに必要な寸法を採ればよい。
【符号の説明】
【００３１】
Ｒ１  危機収納用ラック
Ａ  ラック本体
Ｂ１  正面の蓋
Ｂ２  背面の蓋
Ｃ  コーナー
Ｆ１  正面側の枠
Ｆ２  背面側の枠
Ｓ  奥行部
Ｓ１  取付溝
Ｓ１１  フランジ
Ｓ２  固定板
Ｓ２０  ねじ穴
Ｓ３  取付部材
Ｓ３０  ねじ穴
Ｓ４  ねじ
Ｔ  取付面
ｔ１  垂直面
ｔ２  水平面
Ｐ  面
Ｈ  補強部材
ｃ  コーナー
ｆ  枠
ｐ  面
Ｌ  延長枠
１  コーナーブロック
１１  外側一方の面
１２  内側他方の面
２  枠構成フレーム
２１  外側一方の面
２２  内側他方の面
３  奥行フレーム
３１  外側の面（取付溝）
３１１  フランジ
３２  内側の面
３２１  溝
３３  固定板
３３０  ねじ穴
３４  取付部材
３４０  ねじ穴
３５  ねじ
３６  取手
３６１  取手リング
３７  脚
３７１  脚部材
３７２  固定部
３７３  脚形状部
４  パネル
５  補強フレーム
５０  ナット
５５  アングルプレート
７１  蓋コーナーブロック
７１１  外側一方の面
７１２  内側他方の面
７２  蓋枠構成フレーム
７２１  外側一方の面
７２２  内側他方の面
７３  蓋パネル
７３１  補強用のリブ
８  蓋ロック部材
１０  ラック接続部品
１０１  係止爪
１０２  スクリューシャフト
１０３  第１のフック
１０４  係止爪
１０５  長穴
１０６  第２のフック
１０７  つまみ付きのナット
【図１】
0005559136.tif 000002
【図２】
0005559136.tif 000003
【図３】
0005559136.tif 000004
【図４】
0005559136.tif 000005
【図５】
0005559136.tif 000006
【図６】
0005559136.tif 000007
【図７】
0005559136.tif 000008